(57)【要約】  剪定ばさみと刈り込みばさみは、ブレードが一回の握り又は幾多かの握りで閉じる、デュアルモード操作を備え、回転可能セレクタが所望のモードを選択する。ブレードは、アームの窓に形成されたラチェット歯を有するロッカーアームを備える。はさみハンドルは、ブレードの枢軸により近い又はそこから離れたラチェットに係合し得る歯止めに終わるラジアスアームを有する。
2014500015.tif 000002
【特許請求の範囲】
【請求項１】
第１モードにて作業者による１回の握りでブレードを閉じ、第２モードにて前記ブレードを閉じるのに前記作業者が幾度も握る必要があるデュアルモードラチェット式剪定ばさみにおいて、モードセレクトコントロールの位置が、前記剪定ばさみが前記第１および第２モードのいずれで作動するかを選択する、デュアルモードラチェット式剪定ばさみ。
【請求項２】
前記剪定ばさみは、二つの手動かつはさみ型の作動用ハンドルを有し、
前記ブレードは、
ブレードピボットを備え、これにより、前記ブレードが前記ハンドルの第１ハンドルに枢動可能に接続され、
前記ブレードは、
前記ピボットから離れて延在するラチェット歯を有するロッカーアームを備え、
前記ハンドルの第２ハンドルが前記ブレードピボットから離れて前記第１ハンドルに枢動可能に接続され、かつ、
前記ハンドルのはさみの動きにより作動される歯止めは、前記ブレードピボットから最も近い前記歯、又は前記ブレードピボットから最も離れた前記歯に力を付与し得る、
請求項１に記載の剪定ばさみ。
【請求項３】
前記歯止めは前記第２ハンドルに対して枢動されるラジアスアームであり、前記歯止めは前記第１モードで作動するように付勢される、
請求項２に記載の剪定ばさみ。
【請求項４】
前記ラチェットは、前記ロッカーアーム内の窓によって形成され、前記歯止めは、前記窓の第一端に自由に力を付与し前記第１モードを生じさせ、前記窓の反対端に自由に力を付与し前記第２モードを生じさせる、
請求項２又は３に記載の剪定ばさみ。
【請求項５】
前記モードセレクトコントロールは、前記歯止めに作用するカムを有する、
請求項１から４のいずれか１項に記載の剪定ばさみ。
【請求項６】
前記モードセレクトコントロールは、カム断面を有するシャフト部を有し、前記シャフトは、前記ハンドルの一方上でレバーによって回転可能であり、前記剪定ばさみがいずれの前記モードで作動するかを選択する、
請求項５に記載の剪定ばさみ。
【発明の詳細な説明】
【発明の詳細な説明】
【０００１】
[発明の技術分野]
本発明は、ガーデニング用のラチェット式剪定ばさみに関する。本発明は、片手で動かされる剪定ばさみとして知られている剪定ばさみと、延長ハンドルを有し、両手での作業を必要とする刈り込みばさみに適応される。
[本発明の背景]
ラチェット式剪定ばさみは、剪定ばさみのほぼ最大開度で茎や枝を切る際に大きな握力を必要としてないので、園芸家、特に女性の園芸家にとって恩恵となる。作業者の手で繰り返し握ることで、３又は４段階で切ることができる。太い茎や枝や乾燥した茎や枝はどれも、数回に渡るラチェットストロークを利用するブレードに対して曲がってしまい、このラチェット機構によって刈り込むのに要する時間は非常に長くなり、進み具合もよりゆっくりとなる。作業者が切り難さを感じて初めてどの道具を使用すべきかの選択がはっきりするので、通常の剪定ばさみ及びラチェット式剪定ばさみを使用しても、通常は、作業者の作業を早めない。
[本発明の要約]
一局面によると、本発明は、第１モードにて作業者による一回の握りでブレードを閉じ、第２モードにてブレードを閉じるのに作業者が幾度も握る必要がある、デュアルモードラチェット式剪定ばさみを提供する。モードセレクトコントロールの位置が、剪定ばさみが第１および第２モードのいずれで作動するかを選択する。
【０００２】
好ましくは、
‐剪定ばさみは、二つの手動のはさみ型の作動用ハンドルを有し、
‐ブレードは、
‐ブレードピボットを備え、これにより、ブレードがハンドルの第１ハンドルに枢動可能に接続され、
‐ピボットから離れて延在するラチェット歯を有するロッカーアームを備え、
‐ハンドルのうち第２ハンドルがブレードピボットから離れて前記第１ハンドルに枢動可能に接続され、かつ、
‐ハンドルのはさみの動きにより作動される歯止めを備え、歯止めは、ブレードピボットから最も近い歯、又はブレードピボットから最も離れた歯に力を付与し得る。
【０００３】
好ましくは、歯止めは第２ハンドルに対して枢動されるラジアスアームであり、歯止めは第１モードで作動するように付勢される。
好ましくは、ラチェットは、ロッカーアーム内の窓によって形成され、歯止めは、窓の第一端に自由に力を付与し第１モードを生じさせ、 窓の反対端に自由に力を付与し第２モードを生じさせる。
【０００４】
好ましくは、モードセレクトコントロールは、歯止めに作用するカムを有する。
さらに好ましくは、
‐モードセレクトコントロールは、カム断面を有するシャフト部を有し、
‐シャフトは、ハンドルの一方上でレバーによって回転可能であり、剪定ばさみがいずれのモードで作動するかを選択する。
【図面の簡単な説明】
【０００５】
本発明は、添付の図面を参照して説明される。 
【図１】本発明の一実施形態による剪定ばさみの側面図であり、閉位置にて示される。
【図２】開いており多段切断モードで切断できる図１の剪定ばさみの側断面図である。
【図３】図１の剪定ばさみの分解図である。
【図４】多段切断モードにセットされた部品を有する剪定ばさみのモード選択エリアの拡大図である。
【図５】図４に示す図で、剪定ばさみの部品がシングル切断モードにセットされた状態を示す図である。
【発明を実施するための形態】
【０００６】
[実施形態の詳細な説明]
本明細書において、図１で示すように、使用のために、切断ブレードが最も高い位置にて前方を指すように向けられている剪定ばさみが説明される。 
【０００７】
図に示されるように、剪定ばさみ１は、一端がグリップ６まで、そして、反対端が湾曲したアンビル８まで延在するくぼんだ中間部４を有するハンドル２を備える。ハンドル２は、大部分がダイカストアルミニウムから形成され、工業用プラスチック材料にて握り部を形成することで、使用者の手に対して断熱性を備える。ハンドル２の前方でアンビル８の基部には、ハンドル２と、剪定ばさみの下側保護ハンドル１２を形成するダイカストはさみ型ハンドルとを連結するピボット１０がある。ハンドル１２はその前端にくぼみ部１３を有し、握りエリア１１は断熱性を有するプラスチック材料からなる。ピボット１０は、ワッシャー７とサークリップ９によって固定される平頭ピンである。
【０００８】
ハンドル２のくぼんだ中間部４は、一端に向かう刃先１７と他端に向かうロッカーアーム１８を有するブレード１６を収納するスロット１４を有する。 ブレード１６は、スロット１４を横切り、ハンドル２の右手側にねじ締めされるピボットピン２０に取り付けられる。ピボットピン２０周りのねずみ捕りタイプスプリングがハンドルを付勢し、剪定ばさみを開く。ブレード１６の刃先１７は、アンビル８の作業面にはめ込まれたハードポリマー材料からなるナローベッド２２上に保たれる。ロッカーアーム１８は、ハンドル２とハンドル１２との間にあるＶ型空間２４まで延在する。
【０００９】
ロッカーアーム１８の最も端のゾーンは、穴があいており、曲線的な端２８、２９と４つのラチェット歯３０を有するラチェット窓２６を形成している。
はさみハンドル１２の上部はくぼんでおり、対面壁３２がスラストピン３４によって結合される。スラストピン３４は分岐スラストリンク３６用のピボットとして作用し、ロックワッシャー３５によって保持される。スラストリンクは、一対のクランクサイド板３７を有し、それぞれ一端にスラストピン３４を収納する穴３９を有し、かつ、他端にサイド板３７を連結する歯止めピン３８を有する。歯止めピン３８はラチェット窓２６を貫通し、ねじ状の一端にてナット４１によって保持される。ハンドル１２の対面壁３２は、壁３２の間に介在し、スラストリンク３６上に平面ウェブ部４３を接触させるカム４２を有するモードセレクタ４０をも支持する。スラストリンク３６は、サイド板３７の上端を接合する。
【００１０】
ねずみ捕りタイプスプリング４４は、スラストピン３４に巻かれ、一端がウェブ部４３の下側に支えられ、他端がくぼみ部１３の基部に支えられている。スプリング４４は、常に分岐スラストリンク３６がカム４２と接触するように、分岐スラストリンク３６を付勢し、窓の一端でのシングル切断モードへラチェットを付勢する。
【００１１】
カム４２は、円筒状面部５２と長手方向平坦面部５４を有するシャフト部５０を備える。平坦面部５４とウェブ部４３の係合により、歯止めピン３８がブレード１６に対してより近い窓２６の端２８に到達可能となる。セレクタ４０が、ブレードから離れている窓の端２９へピン３８を動かすと、ピン３８はラチェット歯３０と自由に係合し、従来のラチェット式剪定ばさみの一般的な方法にて多段切断を達成する。
【００１２】
シャフト５０は、ハンドル１２の外側面の扇型くぼみ５６内にあるレバー５１を一端に有する。レバーがくぼみ５６内の最大域で回転すると、シャフト５０が、平坦面５４又は円筒部５２がスラストリンクに支えられる位置間で回転する。
【００１３】
ロッカーアーム１８の一端はフック４６を有する。 フック４６は、はさみハンドル上でラッチ機構４８を滑らせることで捕らえられ、剪定ばさみを閉じることができ、且つ、閉状態に維持し得る。
【００１４】
上記記載は、本発明の好ましい実施形態を含む一方、上に記載の構造と部品の配列に対して、本発明の本質的特徴または精神から逸脱しない範囲にて、様々な変形、変更、修正、かつ／または追加が加えられてもよいと理解されるべきである。
【００１５】
例えば、図１から５を参照して記載された剪定ばさみは、アンビルスタイル剪定ばさみであるが、本発明は、バイパススタイル剪定ばさみにも適応可能である。
「包含する」および「包含する（三人称単数）」や「包含し」のような変形が本明細書内で使用されるにおいて、特に要求が無い限り、その使用は、記述された特徴事項、又は、存在が除外されていないほかの特徴事項をも含むと解釈されるべきである。
【００１６】
本明細書における先行技術の参照は、それら先行技術が共通の一般知識の一部を形成することを知り得た又は提案しているわけではなく、且つ、そのように解釈されるべきではない。 
【図１】
2014500015.tif 000003
【図２】
2014500015.tif 000004
【図３】
2014500015.tif 000005
【図４】
2014500015.tif 000006
【図５】
2014500015.tif 000007
【国際調査報告】
2014500015.tif 000008
2014500015.tif 000009